(57)【要約】【課題】施工に手間がかからず、防水性も確保することができる屋根付加設備の支持具を提供する。【解決手段】屋根材を固定するための固定具により前記屋根材とともに屋根下地に固定される本体固定部１と、前記屋根材の棟側に配置される屋根材の軒側先端が当接して前記棟側に配置される屋根材を位置決めするための位置決め部２と、屋根付加設備を固定するための設備固定部３とを備える。前記屋根付加設備の固定間距離と同等の距離を設けて複数配設される。【選択図】図１
2012077475.tif 000002
【特許請求の範囲】
【請求項１】
屋根材を固定するための固定具により前記屋根材とともに屋根下地に固定される本体固定部と、前記屋根材の棟側に配置される屋根材の軒側先端が当接して前記棟側に配置される屋根材を位置決めするための位置決め部と、屋根付加設備を固定するための設備固定部とを備え、前記屋根付加設備の固定間距離と同等の距離を設けて複数配設されることを特徴とする屋根付加設備の支持具。
【請求項２】
前記支持具は、前記本体固定部の上方に前記設備固定部が形成され、前記本体固定部の軒側端部と前記設備固定部の軒側端部とが連結部により連結され、前記連結部が前記位置決め部として形成されることを特徴とする請求項１に記載の屋根付加設備の支持具。
【請求項３】
前記支持具は、前記本体固定部の軒側に前記設備固定部が形成され、前記本体固定部の軒側端部と前記設備固定部の棟側端部とが連結部により連結され、前記連結部が前記位置決め部として形成されることを特徴とする請求項１に記載の屋根付加設備の支持具。
【請求項４】
屋根材を固定するための固定具により前記屋根材とともに屋根下地に固定される本体固定部と、前記屋根材の棟側に配置される屋根材の軒側先端が当接して前記棟側に配置される屋根材を位置決めするための位置決め部と、屋根付加設備を固定するための設備固定部とを備え、前記本体固定部の上方に前記設備固定部が形成され、前記本体固定部の軒側端部と前記設備固定部の軒側端部とが連結部により連結され、前記連結部が前記位置決め部として形成されて支持具が形成され、前記棟側に配置される屋根材の軒側端部が前記本体固定部と前記設備固定部との間に差し込まれると共に前記棟側に配置される屋根材の軒側先端が位置決め部に当接されて位置決めされ、前記屋根付加設備の固定間距離と同等の距離を設けて複数の支持具が配設され、前記設備固定部に前記屋根付加設備が固定されることを特徴とする屋根付加設備の施工構造。
【請求項５】
屋根材を固定するための固定具により前記屋根材とともに屋根下地に固定される本体固定部と、前記屋根材の棟側に配置される屋根材の軒側先端が当接して前記棟側に配置される屋根材を位置決めするための位置決め部と、屋根付加設備を固定するための設備固定部とを備えて支持具が形成され、前記本体固定部の軒側に前記設備固定部が形成され、前記本体固定部の軒側端部と前記設備固定部の棟側端部とが連結部により連結され、前記連結部が前記位置決め部として形成され、前記棟側に配置される屋根材はその軒側先端が位置決め部に当接されて位置決めされ、前記屋根付加設備の固定間距離と同等の距離を設けて複数の支持具が配設され、前記設備固定部に前記屋根付加設備が固定されることを特徴とする屋根付加設備の施工構造。
【請求項６】
前記施工構造において、前記屋根材には複数の固定用穴が形成されていることを特徴とする請求項４又は５に記載の屋根付加設備の施工構造。
【請求項７】
前記施工構造において、前記棟側に配置される屋根材の軒側端部が固定具により固定されることを特徴とする請求項４乃至６のいずれか一項に記載の屋根付加設備の施工構造。
【発明の詳細な説明】
【技術分野】
【０００１】
本発明は、太陽電池モジュール（パネル）などの屋根付加設備を屋根面に施工するための支持具及びこれを用いた屋根付加設備の施工構造に関するものである。
【背景技術】
【０００２】
従来より、太陽電池モジュールを屋根面に施工するにあたっては、各種の構造が採用されている（例えば、特許文献１参照）。図１１に示すものでは、複数の垂木３０の上に野地板３１を設け、野地板３１の上にアスファルトルーフィング等のルーフィング３２を敷設し、ルーフィング３２の上に複数のスレート瓦等の屋根材３３を敷設することにより、屋根が形成されている。屋根材３３の上面で構成される屋根面には取付具３４を用いて太陽電池モジュール３５が取り付けられる。取付具３４は、固定部材３４ａと押え部材３４ｂとで構成されており、固定部材３４ａがスレート瓦３３の上面に取り付けられ、押え部材３４ｂが太陽電池モジュール３５に取り付けられている。そして、固定部材３４ａと押え部材３４ｂとを結合することによって、複数の太陽電池モジュール３５が屋根面に取り付けられる。
【０００３】
また、図１２に示すものは、レール材を用いている。すなわち、施工された屋根材３３の上面に複数の固定具３７が設けられ、これら固定具３７に架け渡すようにして複数の縦レール材３８が配設されている。また、これら縦レール材３８に架け渡すようにして複数の横レール材３９が配設されている。縦レール材３８と横レール材３９とはジョイント具４０で連結されている。そして、横レール材３９に複数のモジュール固定具４１が設けられ、これらのモジュール固定具４１に太陽電池モジュール３５を固定することによって、複数の太陽電池モジュール３５が屋根面に取り付けられる。隣接する太陽電池モジュール３５の間の目地にはカバー材４２が設けられている。
【先行技術文献】
【特許文献】
【０００４】
【特許文献１】特開２００８−３０３６６０号公報
【発明の概要】
【発明が解決しようとする課題】
【０００５】
しかし、上記の従来例では、一枚の太陽電池モジュール３５の寸法と、一枚の屋根材３３の寸法とが幅方向（屋根の傾斜方向と直交する方向）及び高さ方向（屋根の傾斜方向）とも異なる。このため、取付具３４や固定具３７や縦レール材３８及び横レール材３９などの太陽電池モジュール３５を取り付ける部材の取付位置を屋根材に対して定位置にすることが困難であった。そのため、屋根材３３を葺き終わった状態で墨打ち等をして太陽電池モジュール３５を取り付ける部材の取付位置を設定することになり、屋根材３３の施工と太陽電池モジュール３５を取り付ける部材の施工とが分離されて手間がかかるという問題があった。また、太陽電池モジュール３５を取り付ける部材は、屋根材３３の水のまわりやすい部分（小口やジョイント部）に取り付けられたり、屋根材３３の表面からルーフィング３２の手前まで穴をあけてビス等で固定されたりしている。従って、施工方法や施工者の技量によっては、防水性を確保するのが難しい場合があった。
【０００６】
本発明は上記の点に鑑みてなされたものであり、施工に手間がかからず、防水性も確保することができる屋根付加設備の支持具及び屋根付加設備の施工構造を提供することを目的とするものである。
【課題を解決するための手段】
【０００７】
本発明に係る屋根付加設備の支持具は、屋根材を固定するための固定具により前記屋根材とともに屋根下地に固定される本体固定部と、前記屋根材の棟側に配置される屋根材の軒側先端が当接して前記棟側に配置される屋根材を位置決めするための位置決め部と、屋根付加設備を固定するための設備固定部とを備え、前記屋根付加設備の固定間距離と同等の距離を設けて複数配設されることを特徴とするものである。
【０００８】
前記支持具は、前記本体固定部の上方に前記設備固定部が形成され、前記本体固定部の軒側端部と前記設備固定部の軒側端部とが連結部により連結され、前記連結部が前記位置決め部として形成されることが好ましい。
【０００９】
また、前記支持具は、前記本体固定部の軒側に前記設備固定部が形成され、前記本体固定部の軒側端部と前記設備固定部の棟側端部とが連結部により連結され、前記連結部が前記位置決め部として形成されることが好ましい。
【００１０】
本発明に係る屋根付加設備の施工構造は、屋根材を固定するための固定具により前記屋根材とともに屋根下地に固定される本体固定部と、前記屋根材の棟側に配置される屋根材の軒側先端が当接して前記棟側に配置される屋根材を位置決めするための位置決め部と、屋根付加設備を固定するための設備固定部とを備え、前記本体固定部の上方に前記設備固定部が形成され、前記本体固定部の軒側端部と前記設備固定部の軒側端部とが連結部により連結され、前記連結部が前記位置決め部として形成されて支持具が形成され、前記棟側に配置される屋根材の軒側端部が前記本体固定部と前記設備固定部との間に差し込まれると共に前記棟側に配置される屋根材の軒側先端が位置決め部に当接されて位置決めされ、前記屋根付加設備の固定間距離と同等の距離を設けて複数の支持具が配設され、前記設備固定部に前記屋根付加設備が固定されることを特徴とするものである。
【００１１】
本発明に係る屋根付加設備の施工構造は、屋根材を固定するための固定具により前記屋根材とともに屋根下地に固定される本体固定部と、前記屋根材の棟側に配置される屋根材の軒側先端が当接して前記棟側に配置される屋根材を位置決めするための位置決め部と、屋根付加設備を固定するための設備固定部とを備えて支持具が形成され、前記本体固定部の軒側に前記設備固定部が形成され、前記本体固定部の軒側端部と前記設備固定部の棟側端部とが連結部により連結され、前記連結部が前記位置決め部として形成され、前記棟側に配置される屋根材はその軒側先端が位置決め部に当接されて位置決めされ、前記屋根付加設備の固定間距離と同等の距離を設けて複数の支持具が配設され、前記設備固定部に前記屋根付加設備が固定されることを特徴とするものである。
【００１２】
前記施工構造において、前記屋根材には複数の固定用穴が形成されているのが好ましい。
【００１３】
前記施工構造において、前記棟側に配置される屋根材の軒側端部が固定具により固定されることが好ましい。
【発明の効果】
【００１４】
本発明の屋根付加設備の支持具及び屋根付加設備の施工構造は、施工に手間がかからず、防水性も確保することができるものである。
【図面の簡単な説明】
【００１５】
【図１】本発明の支持具の実施の形態の一例を示す斜視図である。
【図２】本発明の施工構造の実施の形態の一例を示す断面図である。
【図３】同上の屋根材の一例を示す平面図である。
【図４】同上の支持具の固定状態を示す断面図である。
【図５】同上の太陽電池モジュールの一例を示す平面図である。
【図６】同上の太陽電池モジュールの施工状態を示す斜視図である。
【図７】同上の支持具の他の実施の形態の一例を示す斜視図である。
【図８】同上の支持具の固定状態を示す断面図である。
【図９】同上の支持具の他の実施の形態の一例を示す斜視図である。
【図１０】同上の施工構造の他の実施の形態の一例を示す断面図である。
【図１１】従来例を示す斜視図である。
【図１２】他の従来例を示す斜視図である。
【発明を実施するための形態】
【００１６】
以下、本発明を実施するための形態を説明する。
【００１７】
図１に示す屋根付加設備の支持具Ａは、鋼板等の金属板を折り曲げ加工等することによって形成されている。また、この支持具Ａは、本体固定部１と位置決め部２と設備固定部３とを備えて形成されている。
【００１８】
本体固定部１は略平板状に形成されるものであって、前後方向（施工時に軒棟方向となる方向）の略中央部に厚み方向に貫通する前固定孔１ａが形成されている。また、本体固定部１には前固定孔１ａよりも後側（施工時に棟側となる方）に後固定孔１ｂが厚み方向に貫通して形成されている。
【００１９】
設備固定部３は略ハット状に形成されるものであって、下向きに開口する断面略コ字状の載置部３ａと、載置部３ａの前側端部（軒側端部）に略垂直に突設される延出部３ｂと、載置部３ａの後側端部（棟側端部）に略垂直に突設される押え部３ｃと備えている。また、載置部３ａの上面部３ｄには係止孔４が形成されている。係止孔４は上面部３ｄを厚み方向に貫通して形成されている。また、係止孔４は上面部３ｄの幅方向（前後方向と直交する方向）の略中央部に形成されている。そして、係止孔４は、上面部３ｄの略中央部に形成される幅狭部４ａと、幅狭部４ａよりも後側に形成される幅広部４ｂとが連なって形成されている。幅狭部４ａは幅広部４ｂよりも幅寸法が小さく形成されており、所謂、だるま孔に形成されている。また、幅広部４ｂと前固定孔１ａとは上下に対向する位置に形成されている。さらに、押え部３ｃには厚み方向に貫通する差し込み孔７が形成されている。差し込み孔７と後固定孔１ｂとは上下に対向する位置に形成されている。
【００２０】
上記の本体固定部１と設備固定部３とは連結部５で連結されている。連結部５は本体固定部１の軒側端部（前端部）と設備固定部３の延出部３ｂの軒側端部（前端部）との間に一体的に形成されており、本体固定部１及び延出部３ｂとに略垂直に形成されている。本体固定部１と設備固定部３は上下に対向しており、本体固定部１と設備固定部３の隙間が差し込み空間６として形成されている。そして、連結部５の後側面、すなわち、差し込み空間６側の面が位置決め部２として形成されている。
【００２１】
そして、上記の支持具Ａを用いて太陽電池モジュール等の屋根付加設備８を屋根面に固定するにあたっては、次のようにして行う。
【００２２】
まず、図２に示すように、支持具Ａを屋根下地９の上に載置された屋根材１０の上面に配置し、釘等の固定具１１で固定する。屋根下地９は合板等の野地板１２の上にアスファルトルーフィングなどのルーフィング１３を敷設して形成されており、屋根材１０はルーフィング１３の上面に載置されている。屋根材１０は金属製や粘土などの材料で平板状に形成されるものであって、図３に示すように、屋根材１０はその前側略半分が暴露部１０ａとして形成されていると共に、後側略半分が非暴露部１０ｂとして形成されている。非暴露部１０ｂには複数の固定用穴１４が設けられている。固定用穴１４は屋根材１０を厚み方向で貫通しない非貫通穴として形成されている。また、固定用穴１４は前後方向に並んだ二個を一組とし、この組を横方向に複数個（例えば４個）並べて設けられている。そして、屋根材１０の暴露部１０ａを、軒側に施工された屋根材１０の非暴露部１０ｂの上に載せることによって、軒棟方向に屋根材１０の一部を上下に重ね合わせて配置する。また、支持具Ａは、上に重ねた棟側の屋根材１０の上に配置され、この屋根材１０の前後方向に並ぶ固定用穴１４，１４に前固定孔１ａと後固定孔１ｂがそれぞれ位置合わせされる。この後、前固定孔１ａ及び後固定孔１ｂを通して固定用穴１４から屋根下地９に釘等の固定具１１を打ち込むことによって、屋根材１０を屋根下地９に固定すると共に支持具Ａの本体固定部１を屋根材１０の上面及び屋根下地９に固定する。ここで、前固定孔１ａへは係止孔４の幅広部４ｂを通して固定具１１が打ち込まれる。従って、固定具１１の頭部の外径よりも幅広部４ｂの幅及び長さ寸法が大きく形成されている。また、後固定孔１ｂへは差し込み孔７を通して固定具１１が打ち込まれる。従って、固定具１１の頭部の外径よりも差し込み孔７の直径が大きく形成されている。
【００２３】
上記のようにして屋根材１０及び屋根下地９に支持具Ａを固定した後、さらに別の新たな屋根材１０を支持具Ａに取り付けて敷設する。この場合、新たな屋根材１０は支持具Ａに棟側から近づけて屋根材１０の暴露部１０ａの軒側端部を差し込み空間６に差し込む。また、軒側の屋根材１０の非暴露部１０ｂの上に棟側の屋根材１０の暴露部１０ａを載置する。また、図４に示すように、屋根材１０の暴露部１０ａの前端面（軒側端面）を位置決め部２に当接する。このようにして支持具Ａに対して屋根材１０を位置決めして棟側に敷設することができる。この後、新たな屋根材１０を上記と同様にして固定具１１で屋根下地９に固定すると共に支持具Ａを屋根下地９及び屋根材１０の上に固定する。このようにして複数の屋根材１０を軒棟方向及びこれに直交する方向に並べて敷設し、これと並行して複数の支持具Ａも屋根材１０の上面に配設することによって、屋根を形成することができる。
【００２４】
上記の場合、支持具Ａの配置位置は屋根材１０に対して一定となって規則正しく並んで配置される。従って、支持具Ａがバランスよく配置でき、一個当たりの耐力が略同等となって集中荷重を少なくすることができる。また、屋根材１０の固定具１１が打ち込まれる個所は、棟側の屋根材１０の暴露部１０ａで覆われるため防水的に有利となる。従って、太陽電池モジュール等の屋根付加設備８を施工した後でも、屋根材１０が本来持つ防水機能が損なわれないようにすることができる。また、支持具Ａが屋根付加設備８に覆われて大きく露出することがなく、支持具Ａを隠すためのカバー材等の部材や施工手間が不要となるものである。また、支持具Ａは固定用穴１４を基準にして取り付けることができ、位置決めのための墨打ちが不要となるものである。また、屋根材１０の施工と同時に支持具Ａの配設もできるため、屋根材１０の施工後は屋根付加設備８の設置作業のみとなり、施工を軽減することができる。さらに、支持具Ａの本体固定部１の上面を屋根材１０の下面に接触させ、設備固定部３の延出部３ｂと押え部３ｃの下面を屋根材１０の上面に接触させ、さらに屋根材１０の軒側端面（小口面）を位置決め部２に当接することにより、支持具Ａと屋根材１０との隙間を少なくすることができ、強風時に支持具Ａにかかる揚力を分散することができる。
【００２５】
次に、支持具Ａへの屋根付加設備８の固定について説明する。ここでは、屋根付加設備８として太陽電池モジュール８ａを例示するが、これに限定されるものではない。この太陽電池モジュールは、図５に示すように、光を受けて発電する本体部１６と、本体部１６の全周にわたって突設された断面略Ｌ字状の載置片１７が形成されている。また、太陽電池モジュール８ａの軒側端部に設けた載置片１７と棟側端部に設けた載置片１７との距離は、太陽電池モジュール８ａの固定間距離Ｌであって、軒棟方向に一直線上に並ぶ支持具Ａ、Ａの距離Ｐと略同等に形成されている。また、太陽電池モジュール８ａの幅寸法（軒棟方向と直交する方向の寸法）は屋根材１０の働き幅の整数倍にすることができ、太陽電池モジュール８ａの長さ寸法（軒棟方向の寸法）は屋根材１０の働き長さ寸法の整数倍にすることができる。
【００２６】
そして、まず、屋根材１０に固定した支持具Ａに固定用ボルト１８を設ける。固定用ボルト１８はその頭部を係止孔４の幅広部４ｂに上から差し込んだ後、幅狭部４ａにスライド移動させることによって、幅狭部４ａに固定用ボルト１８の軸部を係止して取り付けることができる。この場合、固定用ボルト１８の頭部は幅狭部４ａの下面側開口縁部に係止されている。
【００２７】
次に、複数の太陽電池モジュール８ａを軒棟方向に並ぶ支持具Ａ、Ａの間に架け渡すようにして配置する。この場合、支持具Ａの載置部３ａの上面部３ｄに載置片１７を載置するようにする。また、一つの支持具Ａの載置部３ａには、その軒側に配置される太陽電池モジュール８ａの棟側の載置片１７と、棟側に配置される太陽電池モジュール８ａの軒側の載置片１７との両方が載置される。一つの支持具Ａの載置部３ａ上に載せた載置片１７，１７は固定用ボルト１８を挟んで軒側と棟側に位置している。
【００２８】
次に、軒棟方向で隣接する太陽電池モジュール８ａ、８ａの間に結合部材１９を配設する。結合部材１９は下面が開口する断面略コ字状で長尺に形成されている。そして、固定用ボルト１８を挟んで軒側と棟側に位置する載置片１７，１７にわたって結合部材１９を配置すると共に結合部材１９を上下に貫通してその上面に固定用ボルト１８の上部を突出させる。この後、固定用ボルト１８の上部にナット２０を締結することによって、ナット２０で結合部材１９を下側に押圧する。このようにして太陽電池モジュール８ａを支持具Ａに固定することができる。そして、複数の太陽電池モジュール８ａを支持具Ａに固定していくことによって、図６に示すように、屋根面に複数の太陽電池モジュール８ａを固定することができる。
【００２９】
図７に支持具Ａの他の実施の形態を示す。この支持具Ａは、押え部３ｃの差し込み孔７の直径が固定具１１の頭部の直径よりも小さく形成されている。その他の構成は図１のものと同様である。
【００３０】
この支持具Ａは以下のようにして施工される。まず、図８に示すように、上記と同様にして屋根下地９の上に載置された屋根材１０の上面に支持具Ａを配置し、釘等の固定具１１で固定する。ここで、支持具Ａは、上に重ねた棟側の屋根材１０の上に配置され、この屋根材１０の前後方向に並ぶ固定用穴１４，１４に前固定孔１ａと後固定孔１ｂがそれぞれ位置合わせされる。この後、前固定孔１ａのみを通して固定用穴１４から屋根下地９に釘等の固定具１１を打ち込むことによって、屋根材１０を屋根下地９に固定すると共に支持具Ａの本体固定部１を屋根材１０の上面に固定する。次に、上記と同様にして、さらに別の新たな屋根材１０を支持具Ａに取り付けて敷設する。この場合、新たな屋根材１０は支持具Ａに棟側から近づけて屋根材１０の暴露部１０ａの軒側端部を差し込み空間６に差し込むようにする。また、屋根材１０の暴露部１０ａの前端面（軒側端面）を位置決め部２に当接する。次に、差し込み孔７から釘等の固定具１１を差し込み空間６に差し込んだ屋根材１０の軒側端部に打ち込む。この固定具１１は上側（棟側）の屋根材１０を貫通し、支持具Ａの後固定孔１ｂを通って下側（軒側）の屋根材１０の固定用穴１４に打ち込まれ、この屋根材１０を貫通して屋根下地９に打入される。このようにして支持具Ａに対して屋根材１０を位置決めして棟側に敷設することができる。
【００３１】
図８に示す実施の形態では、棟側に敷設された屋根材１０に支持具Ａを固定することができると共にこの屋根材１０の軒側端部を固定具１１で屋根下地９に固定できるため、支持具Ａ及び棟側の屋根材１０の固定強度を向上させることができるものである。
【００３２】
図９に支持具Ａの他の実施の形態を示す。この支持具Ａは、鋼板等の金属板を折り曲げ加工等することによって形成されている。また、この支持具Ａは、本体固定部１と位置決め部２と設備固定部３とを備えて形成されている。
【００３３】
本体固定部１は略平板状に形成されるものであって、本体固定部１を厚み方向に貫通する前固定孔１ａと後固定孔１ｂとが前後方向に並べて形成されている。
【００３４】
設備固定部３は、略平板状に形成される載置部３ａと、載置部３ａの前側端部（軒側端部）に略垂直下方に突設される延出部３ｂと、延出部３ｂの下端に略垂直前方に突出される脚片３ｅとを備えている。また、載置部３ａには係止孔４が形成されている。係止孔４は載置部３ａを厚み方向に貫通して形成されている。また、係止孔４は載置部３ａの略中央部に形成されている。
【００３５】
上記の本体固定部１と設備固定部３とは連結部５で連結されている。連結部５は本体固定部１の軒側端部（前端部）と設備固定部３の載置部３ａの軒側端部（前端部）との間に一体的に形成されており、本体固定部１及び載置部３ａとに略垂直に形成されている。設備固定部３は本体固定部１の前側（軒側）に形成されている。そして、連結部５の後側面、すなわち、本体固定部１側の面が位置決め部２として形成されている。
【００３６】
この支持具Ａは以下のようにして施工される。まず、図１０に示すように、上記と同様にして屋根下地９の上に載置された屋根材１０の上面に支持具Ａを配置し、釘等の固定具１１で固定する。ここで、支持具Ａは、上に重ねた棟側の屋根材１０の上に配置され、この屋根材１０の前後方向に並ぶ固定用穴１４，１４に前固定孔１ａと後固定孔１ｂがそれぞれ位置合わせされる。この後、前固定孔１ａ及び後固定孔１ｂを通して固定用穴１４から屋根下地９に釘等の固定具１１を打ち込むことによって、屋根材１０を屋根下地９に固定すると共に支持具Ａの本体固定部１を屋根下地９及び屋根材１０の上面に固定する。次に、上記と同様にして、さらに別の新たな屋根材１０を支持具Ａに取り付けて敷設する。この場合、新たな屋根材１０は支持具Ａに棟側から近づけて、軒側の屋根材１０の非暴露部１０ｂに新たな屋根材１０の暴露部１０ａを載置する。また、新たな屋根材１０の暴露部１０ａの前端面（軒側端面）を位置決め部２に当接する。このようにして支持具Ａに対して屋根材１０を位置決めして棟側に敷設することができる。この後、新たな屋根材１０を上記と同様にして固定具１１で屋根下地９に固定すると共に支持具Ａの本体固定部１を屋根下地９及び屋根材１０の上に固定する。このようにして複数の屋根材１０を軒棟方向及びこれに直交する方向に並べて敷設し、これと並行して複数の支持具Ａも屋根材１０の上面に配設することによって、屋根を形成することができる。
【００３７】
次に、支持具Ａへの屋根付加設備８の固定について説明する。屋根付加設備８として上記と同様の太陽電池モジュール８ａを例示するが、これに限定されるものではない。上記と同様に、太陽電池モジュール８ａの軒側端部に設けた載置片１７と棟側端部に設けた載置片１７との距離は、太陽電池モジュール８ａの固定間距離Ｌであって、軒棟方向に一直線上に並ぶ支持具Ａ、Ａの距離Ｐと略同等に形成されている。また、太陽電池モジュール８ａの幅寸法（軒棟方向と直交する方向の寸法）は屋根材１０の働き幅の整数倍にすることができ、太陽電池モジュール８ａの長さ寸法（軒棟方向の寸法）は屋根材１０の働き長さ寸法の整数倍にすることができる。
【００３８】
そして、まず、屋根材１０及び屋根下地９に固定した支持具Ａに固定用ボルト１８を設ける。固定用ボルト１８はその軸部を係止孔４に下から差し込んで係止して取り付けることができる。この場合、固定用ボルト１８の頭部は係止孔４の下面側開口縁部に係止されている。次に、上記と同様にして、複数の太陽電池モジュール８ａを軒棟方向に並ぶ支持具Ａ、Ａの間に架け渡すようにして配置する。この場合、支持具Ａの載置部３ａに載置片１７を載置するようにする。また、一つの支持具Ａの載置部３ａには、その軒側に配置される太陽電池モジュール８ａの棟側の載置片１７と、棟側に配置される太陽電池モジュール８ａの軒側の載置片１７との両方が載置される。一つの支持具Ａの載置部３ａ上に載せた載置片１７，１７は固定用ボルト１８を挟んで軒側と棟側に位置している。
【００３９】
次に、上記と同様にして、軒棟方向で隣接する太陽電池モジュール８ａ、８ａの間に結合部材１９を配設する。そして、固定用ボルト１８を挟んで軒側と棟側に位置する載置片１７，１７にわたって結合部材１９を配置すると共に結合部材１９を上下に貫通してその上面に固定用ボルト１８の上部を突出させる。この後、固定用ボルト１８の上部にナット２０を締結することによって、ナット２０で結合部材１９を下側に押圧する。このようにして太陽電池モジュール８ａを支持具Ａに固定することができる。
【符号の説明】
【００４０】
Ａ  支持具
１  本体固定部
２  位置決め部
３  設備固定部
４  係止孔
５  連結部
８  屋根付加設備
９  屋根下地
１０  屋根材
１１  固定具
【図１】
2012077475.tif 000003
【図２】
2012077475.tif 000004
【図３】
2012077475.tif 000005
【図４】
2012077475.tif 000006
【図５】
2012077475.tif 000007
【図６】
2012077475.tif 000008
【図７】
2012077475.tif 000009
【図８】
2012077475.tif 000010
【図９】
2012077475.tif 000011
【図１０】
2012077475.tif 000012
【図１１】
2012077475.tif 000013
【図１２】
2012077475.tif 000014